(57)【要約】【課題】プロファイルを作成する際にカラーインコンスタンシーの影響をユーザーが把握できるようにすること。【解決手段】複数の照明条件のなかからユーザーによって仮選択された照明条件である仮条件の入力を受け付け、特定色として印刷された特定パッチを対象とした分光測色データを用い、複数の照明条件下それぞれにおける色彩値である第１色彩値を算出し、仮条件下において特定色として見えるように印刷された印刷物が、仮条件以外の照明条件である比較条件下において観察されると仮定した場合における印刷物の見え方を示す色彩値である第２色彩値を、第１色彩値を用いて算出し、第２色彩値によって示される色情報を表示し、複数の照明条件のなかからユーザーによって本選択された照明条件の入力を受け付け、本選択された照明条件下において特定パッチが特定色として観察されるように、プロファイルを作成する。【選択図】図５
2019146019.tif 000002
【特許請求の範囲】
【請求項１】
複数の照明条件のなかからユーザーによって仮選択された照明条件である仮条件の入力を受け付ける仮選択部と、
特定色として印刷された特定パッチを対象とした分光測色データを用い、前記複数の照明条件下それぞれにおける色彩値を算出する第１算出部と、
前記仮条件下において前記特定色として見えるように印刷された印刷物が、前記仮条件以外の照明条件である比較条件下において観察されると仮定した場合における前記印刷物の見え方を示す色彩値を、前記第１算出部によって算出された色彩値を用いて算出する第２算出部と、
前記第２算出部によって算出された色彩値によって示される色情報を表示する表示部と、
前記複数の照明条件のなかからユーザーによって本選択された照明条件の入力を受け付ける本選択部と、
前記本選択された照明条件下において前記特定パッチが前記特定色として観察されるように、プロファイルを作成する作成部と、
を備えるプロファイル作成装置。
【請求項２】
前記プロファイルは、ブラックインクを含む複数色のインクの量を決定するためのものであり、
前記仮選択部は、前記ブラックインクの使用量の特性の入力をユーザーから受け付け、
前記第１算出部は、前記色彩値の算出に、前記入力された特性を用いる
請求項１に記載のプロファイル作成装置。
【請求項３】
前記表示部は、前記色情報として、色を表示する
請求項１から請求項２までの何れか一項に記載のプロファイル作成装置。
【請求項４】
前記表示部は、前記色情報として、前記仮条件下における見え方を示す色彩値と、前記比較条件下における見え方を示す色彩値との差を数値で表示する
請求項１から請求項３までの何れか一項に記載のプロファイル作成装置。
【請求項５】
前記第２算出部は、前記本選択が実行される前に前記仮条件の変更を前記仮選択部がユーザーから受け付けた場合、前記変更後の仮条件下を用いて前記色彩値を更新する
請求項１から請求項４までの何れか一項に記載のプロファイル作成装置。
【請求項６】
前記仮選択部は、前記複数の照明条件のなかから、少なくとも２つの照明条件を前記仮条件の入力として受け付け、
前記第２算出部は、前記入力された少なくとも２つの仮条件下において前記特定色として見えるように印刷された印刷物が、前記複数の照明条件下それぞれにおいて観察されると仮定した場合における前記印刷物の見え方を示す色彩値を算出する
請求項１から請求項５までの何れか一項に記載のプロファイル作成装置。
【請求項７】
前記仮選択部は、前記入力を受け付けた少なくとも２つの照明条件の強度比の入力を受け付け、
前記第２算出部は、前記入力された強度比に応じた前記色彩値を算出する
請求項６に記載のプロファイル作成装置。
【請求項８】
前記特定色は、無彩色である
請求項１から請求項７までの何れか一項に記載のプロファイル作成装置。
【請求項９】
さらに、前記特定色の明度の設定を、ユーザーから受け付ける明度設定部を備える
請求項１から請求項８までの何れか一項に記載のプロファイル作成装置。
【請求項１０】
さらに、前記特定色の設定を、ユーザーから受け付ける特定色設定部を備える
請求項１から請求項７までの何れか一項に記載のプロファイル作成装置。
【請求項１１】
複数の照明条件のなかからユーザーによって仮選択された照明条件である仮条件の入力を受け付け、
特定色として印刷された特定パッチを対象とした分光測色データを用い、前記複数の照明条件下それぞれにおける色彩値である第１色彩値を算出し、
前記仮条件下において前記特定色として見えるように印刷された印刷物が、前記仮条件以外の照明条件である比較条件下において観察されると仮定した場合における前記印刷物の見え方を示す色彩値である第２色彩値を、前記第１色彩値を用いて算出し、
前記第２色彩値によって示される色情報を表示し、
前記複数の照明条件のなかからユーザーによって本選択された照明条件の入力を受け付け、
前記本選択された照明条件下において前記特定パッチが前記特定色として観察されるように、プロファイルを作成する
プロファイル作成方法。
【請求項１２】
複数の照明条件のなかからユーザーによって仮選択された照明条件である仮条件の入力を受け付け、
特定色として印刷された特定パッチを対象とした分光測色データを用い、前記複数の照明条件下それぞれにおける色彩値である第１色彩値を算出し、
前記仮条件下において前記特定色として見えるように印刷された印刷物が、前記仮条件以外の照明条件である比較条件下において観察されると仮定した場合における前記印刷物の見え方を示す色彩値である第２色彩値を、前記第１色彩値を用いて算出し、
前記第２色彩値によって示される色情報を表示し、
前記複数の照明条件のなかからユーザーによって本選択された照明条件の入力を受け付け、
前記本選択された照明条件下において前記特定パッチが前記特定色として観察されるように、プロファイルを作成する
ことをコンピューターに実行させるためのプログラムを記録した記録媒体。
【発明の詳細な説明】
【技術分野】
【０００１】
本開示は、プロファイルの作成に関する。
【背景技術】
【０００２】
特許文献１は、プロファイルを編集する手法を開示している。プロファイルとは、色変換テーブルのことである。この手法では、コンピューターのディスプレイに表示された編集画面を通じて、ユーザーが編集作業を実施する。編集画面には、編集前と編集後との色域が表示される。
【先行技術文献】
【特許文献】
【０００３】
【特許文献１】特開２０１２−２３１３８８号公報
【発明の概要】
【発明が解決しようとする課題】
【０００４】
上記先行技術の場合、カラーインコンスタンシーについては考慮されていない。カラーインコンスタンシーとは、異なる照明条件下で印刷物を観察した場合に、色の見え方に差異が生じることである。本開示は、上記を踏まえ、プロファイルを作成する際に、実際に印刷して異なる照明条件下で観察しなくても、カラーインコンスタンシーの影響をユーザーが把握できるようにすることを解決課題とする。
【課題を解決するための手段】
【０００５】
本開示の一形態は、複数の照明条件のなかからユーザーによって仮選択された照明条件である仮条件の入力を受け付ける仮選択部と；特定色として印刷された特定パッチを対象とした分光測色データを用い、前記複数の照明条件下それぞれにおける色彩値を算出する第１算出部と；前記仮条件下において前記特定色として見えるように印刷された印刷物が、前記仮条件以外の照明条件である比較条件下において観察されると仮定した場合における前記印刷物の見え方を示す色彩値を、前記第１算出部によって算出された色彩値を用いて算出する第２算出部と；前記第２算出部によって算出された色彩値によって示される色情報を表示する表示部と；前記複数の照明条件のなかからユーザーによって本選択された照明条件の入力を受け付ける本選択部と；前記本選択された照明条件下において前記特定パッチが前記特定色として観察されるように、プロファイルを作成する作成部と；を備えるプロファイル作成装置である。
【図面の簡単な説明】
【０００６】
【図１】プロファイル作成装置、プリンター及び分光測色計を示す図。
【図２】プロファイル作成処理を示すフローチャート。
【図３】選択処理を示すフローチャート。
【図４】特定パッチを対象とした色彩値の計算結果の一例を示すテーブル。
【図５】Ｄ５０が仮選択されている場合のプレビュー画面を示す図。
【図６】Ｆ１１が仮選択されている場合のプレビュー画面を示す図。
【図７】本実施形態におけるプレビュー画面の一例を示す図。
【図８】本実施形態における選択処理を示すフローチャート。
【図９】本実施形態におけるプレビュー画面の一例を示す図。
【図１０】本実施形態におけるプレビュー画面の一例を示す図。
【図１１】本実施形態におけるプレビュー画面の一例を示す図。
【発明を実施するための形態】
【０００７】
図１は、プロファイル作成装置２０と、プリンター３０と、分光測色計４０とを示す。本実施形態におけるプロファイルは、印刷を実施するために、ＲＧＢ値やＣＭＹＫ値で記述される機器依存色からＬ＊ａ＊ｂ＊値で記述される機器非依存色への色変換またはその逆方向の色変換に用いられる。
【０００８】
プロファイル作成装置２０は、コンピューターである。プロファイル作成装置２０は、ＣＰＵ２２と、記録媒体２４と、入力装置２８と、ディスプレイ２９とを備える。記録媒体２４には、プログラム２６が記録されている。プログラム２６は、後述するプロファイル作成処理を実現するためのプログラムである。入力装置２８は、キーボードやマウス等から構成される。ディスプレイ２９は、ＣＰＵ２２の制御に従って画面を表示する。
【０００９】
プリンター３０は、プロファイル作成装置２０と通信可能に接続されている。プリンター３０は、プロファイル作成装置２０から入力される印刷指示に応じて印刷を実行する。
【００１０】
分光測色計４０は、プロファイル作成装置２０と通信可能に接続されている。分光測色計４０は、測定対象物について波長毎の反射率を取得し、取得結果をプロファイル作成装置２０に入力する。
【００１１】
図２は、プロファイル作成処理を示すフローチャートである。まず、ＣＰＵ２２が、プロファイル作成用チャート（以下、単に「チャート」という）の印刷指示をプリンター３０に入力する（Ｓ１００）。プリンター３０は、印刷指示に従ってチャートを印刷する（Ｓ１５０）。チャートは、異なる色が印刷された複数のパッチから構成される。
【００１２】
次に、分光測色計４０が、チャートの分光測色データを取得する（Ｓ２００）。取得された分光測色データは、プロファイル作成装置２０に入力される。
【００１３】
次に、ＣＰＵ２２が、選択処理を実行する（Ｓ３００）。図３は、選択処理を示すフローチャートである。まず、ＣＰＵ２２は、特定パッチを対象にした分光測色データを用い、後述する複数種の照明条件下での色彩値を計算する（Ｓ３１０）。特定パッチとは、本実施形態においては、特定色として印刷されたパッチである。本実施形態における特定色は、無彩色である。本実施形態においては、特定色の明度は予め定められている。ＣＰＵ２２は、複数のパッチ各々の分光測色データから、特定パッチを決定する。
【００１４】
図４は、特定パッチを対象とした色彩値の計算結果の一例を示すテーブルである。本実施形態においては、照明条件として、Ｄ５０，Ｄ６５，Ｆ７，Ｆ８，Ｆ９，Ｆ１０，Ｆ１１，Ｆ１２の８種類が用意されている。Ｄ６５は、ＣＩＥ標準光源Ｄ６５のことである。ＣＩＥは、Commission Internationale de l’Eclairageの頭字語であり、国際照明委員会のことである。Ｄ５０も、ＣＩＥ標準光源のＤシリーズとして定義された光源である。Ｆ７〜Ｆ１２は、ＪＩＳ規格Ｚ８７１９や、ＣＩＥによって定義された照明条件である。各照明条件は、波長毎の強度が定められているので、分光測色データを用いることによって、Ｌ＊、ａ＊、ｂ＊の各値を算出することができる。
【００１５】
なお、図４に示すように、何れの照明条件においてもａ＊及びｂ＊がゼロではない。このため、Ｓ１５０において印刷された特定パッチは、厳密には、上記８種類の何れの照明条件下においても無彩色には見えない。
【００１６】
次に、ＣＰＵ２２は、ユーザーに照明条件の候補を提示する（Ｓ３２０）。図５は、ディスプレイ２９に表示されるプレビュー画面の一例を示す。図５に示される数値及びハッチングは、後述するステップによって決定されるので、順を追って説明する。Ｓ３２０として実行される照明条件の候補の提示として、上記した８種類の照明条件が文字によって表示されている。
【００１７】
次に、ＣＰＵ２２は、ユーザーによる仮選択の結果を取得する（Ｓ３３０）。ユーザーは、入力装置２８を用いて画面上のポインターを操作することによって、プルダウンメニューから照明条件を選択することができる。図５に示された例では、Ｄ５０が仮選択されている。
【００１８】
次に、ＣＰＵ２２は、Ｓ３１０において算出した各色彩値を対象に、仮選択された照明条件における色彩値との差分を算出する（Ｓ３４０）。具体的には、ｄＥ００の算出、並びに、Ｌ＊、ａ＊及びｂ＊の各値について、仮選択された照明条件における値との差の算出を実行する。ｄＥ００は、ＣＩＥＤＥ２０００又はｄｅｌｔａＥ００のことであり、色差を示す。
【００１９】
次に、ＣＰＵ２２は、Ｓ３４０で算出した値を用い、各照明条件における見え方を色および数値で表示する（Ｓ３５０）。
【００２０】
図５に示すようにプレビュー画面には、Ｄ５０等の８種類の照明条件としての文字の上に、領域ｋが配置されている。領域ｋに示されたハッチングは、各々の照明条件における色の見え方を模擬した領域である。図５においては、図示の都合上、実際の色ではなく、ハッチングの違いによって、色が異なることを表現している。領域ｋに示される色のａ＊及びｂ＊は、Ｓ３４０において求めた差分としての値である。領域ｋに示される色のＬ＊は、Ｓ３１０において求めた値がそのまま用いられる。
【００２１】
図５に示す例では、Ｄ５０が仮選択されている。このため、領域ｋのうち、Ｄ５０に対応する領域に表示される色のａ＊及びｂ＊の値はゼロになる。つまり、Ｄ５０に対応する領域に表示される色は、無彩色である。一方、領域ｋのうち、Ｄ５０以外の照明条件に対応する領域に表示される色は、ａ＊及びｂ＊の値がゼロではないため、無彩色ではない。つまり、Ｄ５０以外の照明条件に対応する領域に表示される色は、Ｄ５０の照明条件下において無彩色に見えるように印刷された印刷物が、別の照明条件下に置かれたと仮定した場合に、どのように見えるのかを模擬している。
【００２２】
比較領域ｎは、仮選択されている照明条件による色の見え方を模擬した領域である。図５においては、比較領域ｎには、Ｄ５０に対応する領域と同じ色が表示される。比較領域ｎは、領域ｋの全体、つまり８種類各々の照明条件に対応する領域に接している。このため、ユーザーは、仮選択されている照明条件での見え方と、他の照明条件での見え方とを、容易に見比べることができる。
【００２３】
図５に示すように、色彩値の差分として、ｄＥ００、ｄＬ＊、ｄａ＊、ｄｂ＊の各値が表示される。ｄＬ＊、ｄａ＊、ｄｂ＊の各値は、Ｌ＊、ａ＊、ｂ＊の各値についての差分である。図５に示す画面によって、ユーザーは、色差や、Ｌａｂ色空間における各値の差分を、数値で把握することができる。
【００２４】
本実施形態においては、領域ｋに示された色、比較領域ｎに示された色、及びｄＥ００、ｄＬ＊、ｄａ＊、ｄｂ＊としての数値を総称して、色情報という。
【００２５】
次に、ＣＰＵ２２は、ユーザーからの入力指示を待って、その指示が「ＯＫ」であるか、「照明条件の変更」であるかを判定する（Ｓ３６０）。照明条件の変更である場合（Ｓ３６０，照明条件の変更）、ＣＰＵ２２は、Ｓ３３０に戻って、変更された照明条件を用いて、Ｓ３４０及びＳ３５０を実行する。
【００２６】
図６は、照明条件としてＦ１１が仮選択されている場合のプレビュー画面を示す。図６に示す例ではＦ１１が仮選択されているので、領域ｋのうちＦ１１に対応する領域に無彩色が表示される。領域ｋのうち他の照明条件に対応する領域においては、Ｆ１１の照明条件下において無彩色に見えるように印刷された印刷物が、別の照明条件下に置かれたと仮定した場合に、どのように見えるのかが模擬されている。Ｆ１１に対応する色彩値の差分としての各値は、全てゼロになる。他の照明条件については、Ｆ１１に対応する色彩値との差分が表示される。
【００２７】
一方、「ＯＫ」の指示が入力された場合、ＣＰＵ２２は、「ＯＫ」の指示の入力時において仮選択されていた照明条件を、プロファイル作成用の条件として本選択する（Ｓ３７０）。続いて、照明条件以外の条件の入力をユーザーから受け付けて、プロファイル作成用の条件として決定し（Ｓ３８０）、選択処理を終える。照明条件以外の条件とは、例えば、Ｋ使用特性などである。Ｋ使用特性については、実施形態３で説明する。
【００２８】
ＣＰＵ２２は、選択処理を終えると、図２に示すように、プロファイルを作成し（Ｓ４００）、プロファイル作成処理を終える。ＣＰＵ２２は、作成したプロファイルを記録媒体２４に記録する。Ｓ４００には、選択処理で決定された条件が用いられる。つまり、本選択された照明条件下において、特定パッチが無彩色に見えるようにプロファイルを作成する。作成されたプロファイルを用いて印刷された特定パッチは、上記した８種類の照明条件下の各々において、照明条件を本選択した際に表示されていた色として観察される。
【００２９】
本実施形態によれば、ユーザーは、カラーインコンスタンシーの影響を印刷前に把握できる。ひいては、実際に印刷してカラーインコンスタンシーの影響を確認する手間を省くことができる。
【００３０】
実施形態２を説明する。実施形態２の説明は、実施形態１と異なる点を主な対象とする。特に説明しない点については、実施形態１と同じである。なお、後述する実施形態３以降についても同様に説明する。
【００３１】
図７は、本実施形態におけるプレビュー画面の一例を示す。図７に示すように、本実施形態においては、２種類の照明条件が選択できる。さらに、本実施形態においては、ユーザーが、選択された２種類の照明条件の強度比を入力することができる。強度比の入力は、スライダーＳを画面上で操作することによって実現される。図７に示された例では、Ｄ５０及びＦ１１が選択されており、Ｄ５０の強度比が６０％、Ｆ１１の強度比が４０％として入力されている。
【００３２】
強度比の変更は、図３に示した選択処理におけるＳ３６０の「照明条件の変更」に該当する。このため、強度比が変更された場合、ＣＰＵ２２は、Ｓ３３０〜Ｓ３５０を実行し、プレビュー画面を更新する。
【００３３】
本実施形態によれば、ユーザーは、２種類の照明条件によるカラーインコンスタンシーの影響を把握できる。さらに、２種類の照明条件の強度比を任意に設定できるので、ユーザーは、２種類の照明条件の強度比がカラーインコンスタンシーに与える影響を把握できる。
【００３４】
実施形態３を説明する。図８は、本実施形態における選択処理を示すフローチャートである。図９は、本実施形態におけるプレビュー画面の一例を示す。
【００３５】
本実施形態においては、照明条件に加え、ユーザーが、Ｋ使用特性の程度を入力することができる。Ｋ使用特性とは、例えば、インク色としてＣＭＹＫ（シアン、マゼンタ、イエロー、ブラック）の４色が用意されている場合に、無彩色を印刷するとき、コンポジットブラックのインク量に対して、Ｋインクの量が、どの程度に設定されているかを示す指標のことである。コンポジットブラックは、ＣＭＹの３色のインクの混合によって無彩色を表現する印刷手法のことである。
【００３６】
本実施形態においては、Ｋ使用特性として５段階が用意されている。具体的には「最少」「少」「中」「多」「最多」のなかから選択できるようになっている。一般に、Ｋ使用特性を変化させると、各照明条件下における見え方が変化する。具体的には、Ｋインクの量が多ければ多いほど、照明条件の変化による色の見え方の変化は小さくなる一方、粒状性は悪化する傾向にある。このため、色の見え方の変化が許容できる範囲で、Ｋ使用特性を少なくすることが好ましい。
【００３７】
ＣＰＵ２２は、Ｋ使用特性が変更された場合（Ｓ３６０，Ｋ使用特性の変更）、Ｓ３１０に戻り、色彩値の算出をやり直す。なお、Ｋ使用特性のデフォルト値は「中」であるので、１日目のＳ３１０においては、Ｋ使用特性として「中」が用いられる。
【００３８】
本実施形態によれば、ユーザーは、Ｋ使用特性の変化がカラーインコンスタンシーに与える影響を把握できる。
【００３９】
実施形態４を説明する。図１０は、本実施形態におけるプレビュー画面の一例を示す。本実施形態においては、ユーザーが、特定色としての無彩色の明度を入力することができる。具体的には、画面上でスライダーＢを操作することによって、明度を０％〜１００％の範囲で任意に設定することができる。
【００４０】
明度の変更は、図３に示した選択処理におけるＳ３６０の「照明条件の変更」に該当する。このため、明度が変更された場合、ＣＰＵ２２は、Ｓ３３０〜Ｓ３５０を実行し、プレビュー画面を更新する。
【００４１】
本実施形態によれば、ユーザーは、明度の変化がカラーインコンスタンシーに与える影響を把握できる。
【００４２】
実施形態５を説明する。図１１は、本実施形態におけるプレビュー画面の一例を示す。本実施形態においては、ユーザーが、特定色を指定することができる。具体的には、ユーザーが画面上でＬ＊ａ＊ｂ＊の各値を所望の値に指定することによって、有彩色を含む任意の色を特定色として指定することができる。なお、図１１に示された（Ｌ＊，ａ＊，ｂ＊）＝（７０，１５，２０）は、代表的肌色を示す。
【００４３】
ＣＰＵ２２は、特定色が変更された場合（Ｓ３６０，特定色の変更）、Ｓ３１０に戻り、特定パッチの選定、及び色彩値の算出をやり直す。
【００４４】
本実施形態によれば、ユーザーは、任意の色を対象に、カラーインコンスタンシーの影響を把握できる。
【００４５】
本開示は、本明細書の実施形態に限られるものではなく、その趣旨を逸脱しない範囲において種々の構成で実現できる。例えば、発明の概要の欄に記載した各形態中の技術的特徴に対応する実施形態中の技術的特徴は、先述の課題の一部又は全部を解決するために、或いは、先述の効果の一部又は全部を達成するために、適宜、差し替えや、組み合わせができる。その技術的特徴が本明細書中に必須なものとして説明されていなければ、適宜、削除できる。例えば、以下の実施形態が例示される。
【００４６】
何れの実施形態においても、色情報として表示されるのは、色だけでもよいし、数値だけでもよいし、色および数値の両方でもよい。
【００４７】
チャートは、ＥＣＩ２００２又はＩＳＯ１２６４２等で標準化されたものでもよいし、カスタムされたものでもよい。ＥＣＩ２００２は、European Color Initiativeで規定されたチャートである。
【００４８】
実施形態２のように照明条件を複数、選択できる場合、２種類に限られず、３種類以上、選択できてもよい。
【００４９】
照明条件を複数、選択できる場合、照明条件の強度比は、予め定められており、ユーザーによって変更できないようになっていてもよい。例えば、２種類の場合であれば、５０％ずつに定められていてもよい。
【００５０】
照明条件は、実施形態において例示した８種類に限られず、任意のものを使用してよい。例えば、Ｆ１〜Ｆ６の少なくとも何れか１つを使用してもよい。
【００５１】
上記実施形態において、ソフトウエアによって実現された機能及び処理の一部又は全部は、ハードウエアによって実現されてもよい。また、ハードウエアによって実現された機能及び処理の一部又は全部は、ソフトウエアによって実現されてもよい。ハードウエアとしては、例えば、集積回路、ディスクリート回路、または、それらの回路を組み合わせた回路モジュールなど、各種回路を用いてもよい。
【００５２】
本開示の一形態は、複数の照明条件のなかからユーザーによって仮選択された照明条件である仮条件の入力を受け付ける仮選択部と；特定色として印刷された特定パッチを対象とした分光測色データを用い、前記複数の照明条件下それぞれにおける色彩値を算出する第１算出部と；前記仮条件下において前記特定色として見えるように印刷された印刷物が、前記仮条件以外の照明条件である比較条件下において観察されると仮定した場合における前記印刷物の見え方を示す色彩値を、前記第１算出部によって算出された色彩値を用いて算出する第２算出部と；前記第２算出部によって算出された色彩値によって示される色情報を表示する表示部と；前記複数の照明条件のなかからユーザーによって本選択された照明条件の入力を受け付ける本選択部と；前記本選択された照明条件下において前記特定パッチが前記特定色として観察されるように、プロファイルを作成する作成部と；を備えるプロファイル作成装置でもよい。この形態によれば、ユーザーは、実際に印刷して異なる照明条件下で観察しなくても、表示部によって表示された色情報を見ることによって、カラーインコンスタンシーの影響を把握できる。
【００５３】
上記形態において、前記プロファイルは、ブラックインクを含む複数色のインクの量を決定するためのものであり；前記仮選択部は、前記ブラックインクの使用量の特性の入力をユーザーから受け付け；前記第１算出部は、前記色彩値の算出に、前記入力された特性を用いてもよい。この形態によれば、ユーザーは、ブラックインクの使用量の特性について、カラーインコンスタンシーの影響を把握できる。
【００５４】
上記形態において、前記表示部は、前記色情報として、色を表示してもよい。この形態によれば、ユーザーは、カラーインコンスタンシーの影響を、色によって把握できる。
【００５５】
上記形態において、前記表示部は、前記色情報として、前記仮条件下における見え方を示す色彩値と、前記比較条件下における見え方を示す色彩値との差を数値で表示してもよい。この形態によれば、ユーザーは、カラーインコンスタンシーの影響を、数値によって把握できる。
【００５６】
上記形態において、前記第２算出部は、前記本選択が実行される前に前記仮条件の変更を前記仮選択部がユーザーから受け付けた場合、前記変更後の仮条件下を用いて前記色彩値を更新してもよい。この形態によれば、ユーザーは、仮選択した照明条件を変更した場合に、変更後のカラーインコンスタンシーの影響を把握できる。
【００５７】
上記形態において、前記仮選択部は、前記複数の照明条件のなかから、少なくとも２つの照明条件を前記仮条件の入力として受け付け；前記第２算出部は、前記入力された少なくとも２つの仮条件下において前記特定色として見えるように印刷された印刷物が、前記複数の照明条件下それぞれにおいて観察されると仮定した場合における前記印刷物の見え方を示す色彩値を算出してもよい。この形態によれば、ユーザーは、複数の照明条件下についてのカラーインコンスタンシーの影響を把握できる。
【００５８】
上記形態において、前記仮選択部は、前記入力を受け付けた少なくとも２つの照明条件の強度比の入力を受け付け；前記第２算出部は、前記入力された強度比に応じた前記色彩値を算出してもよい。この形態によれば、複数の照明条件の強度比がカラーインコンスタンシーに与える影響を把握できる。
【００５９】
上記形態において、前記特定色は、無彩色でもよい。無彩色は、カラーインコンスタンシーの影響を受けやすい。この形態によれば、ユーザーは、カラーインコンスタンシーの知識が無くても、カラーインコンスタンシーの影響を受けやすい色を対象にして、その影響を把握できる。
【００６０】
上記形態において、さらに、前記特定色の明度の設定を、ユーザーから受け付ける明度設定部を備えてもよい。この形態によれば、ユーザーは、任意の明度の特定色を対象にして、カラーインコンスタンシーの影響を把握できる。
【００６１】
上記形態において、さらに、前記特定色の設定を、ユーザーから受け付ける特定色設定部を備えてもよい。この形態によれば、ユーザーは、任意の色を対象にして、カラーインコンスタンシーの影響を把握できる。
【００６２】
本開示は、上記以外の種々の形態で実現できる。例えば、プロファイル作成方法や、この方法を実現するためのプログラム、このプログラムを記憶した非遷移的実行的記憶媒体等の形態で実現できる。
【符号の説明】
【００６３】
２０…プロファイル作成装置、２２…ＣＰＵ、２４…記録媒体、２６…プログラム、２８…入力装置、２９…ディスプレイ、３０…プリンター、４０…分光測色計
【図１】
2019146019.tif 000003
【図２】
2019146019.tif 000004
【図３】
2019146019.tif 000005
【図４】
2019146019.tif 000006
【図５】
2019146019.tif 000007
【図６】
2019146019.tif 000008
【図７】
2019146019.tif 000009
【図８】
2019146019.tif 000010
【図９】
2019146019.tif 000011
【図１０】
2019146019.tif 000012
【図１１】
2019146019.tif 000013